(57)【要約】【課題】  暗証番号を使用することに基づく貴重品の保管・管理に関する問題点を解決する集合型貴重品保管装置を提供すること。【解決手段】  複数の収納ボックス２を有する集合型貴重品保管装置１において、利用者に空いている収納ボックスと操作方法を表示し、利用者が選択した収納ボックス番号を入力する操作・表示部３と、カード類７に保持されたＲＦＩＤ８タグと通信を行ってＩＤデータを読み取るリーダライタ４と、人体の特徴を収集する生体認証センサー５と、読み取ったＩＤデータ、利用者が選択した収納ボックス番号および収集した生体認証データを処理・記憶するコンピュータ６とを備え、収納ボックス２に貴重品を入れる際には、ＲＦＩＤタグ８のＩＤデータおよび生体認証データに基づいて収納ボックス２の施錠を可能ならしめ、収納ボックス２から貴重品を取り出す際には、生体認証データに基づいて収納ボックス２の解錠を可能ならしめたものである。【選択図】  図２
2013189821.tif 000002
【特許請求の範囲】
【請求項１】
扉の施錠・解錠を電磁錠で行う複数の収納ボックスを有する集合型貴重品保管装置において、
利用者に空いている収納ボックスと操作方法を表示し、利用者が選択した収納ボックス番号を入力する操作・表示部と、
カード類に保持されたＲＦＩＤタグと通信を行って、当該ＲＦＩＤタグのＩＤデータを読み取るリーダライタと、
人体の特徴を収集する生体認証センサーと、
上記リーダライタによって読み取られたＩＤデータ、上記利用者が選択した収納ボックス番号および上記生体認証センサーによって収集された生体認証データを処理・記憶するコンピュータとを備え、
上記収納ボックスに貴重品を格納する際には、上記ＲＦＩＤタグのＩＤデータおよび上記生体認証データに基づいて上記収納ボックスの扉の施錠を可能ならしめ、上記収納ボックスから貴重品を取り出す際には、上記生体認証データに基づいて上記収納ボックスの扉の解錠を可能ならしめることを特徴とする集合型貴重品保管装置。
【請求項２】
１つの生体認証センサーにより複数部位の生体認証データを収集し、該複数の生体認証データに基づいて上記収納ボックスの扉の施錠・解錠を可能ならしめることを特徴とする請求項１に記載の集合型貴重品保管装置。
【請求項３】
複数の生体認証センサーにより複数部位の生体認証データを収集し、該複数の生体認証データに基づいて上記収納ボックスの扉の施錠・解錠を可能ならしめることを特徴とする請求項１に記載の集合型貴重品保管装置。
【発明の詳細な説明】
【技術分野】
【０００１】
この発明は、暗証番号を使用することなく、指紋、掌紋、虹彩模様等の生体認証データと、ＩＣカードに組み込まれたＲＦＩＤタグに格納されているＩＤデータとにより施錠・解錠を行う集合型貴重品保管装置に関する。
【背景技術】
【０００２】
ゴルフ場やフィットネスクラブのように不特定多数の客が来場し、客が施設に滞在中に貴重品を身から離さざるを得ない状況が生じる場所では、暗証番号を入力して施錠・解錠を行う集合型の貴重品保管装置が設置されている。
【０００３】
特に、ゴルフ場においては、プレーフィーが高額であり、客が多額の現金やクレジットカード類を持参するために、客の貴重品の取り扱いは重要である。客も多額の現金やクレジットカードを入れた財布を持参する必要があるにも拘わらず、プレーする際には財布を持ち歩くと邪魔で紛失のおそれがあるので、ゴルフ場が貴重品袋を用意して客の貴重品を預かるか、暗証番号をキーとした集合型の貴重品保管装置をフロント近くに設置して客に利用させている。
【０００４】
貴重品保管装置の鍵としては、利用者に現物の鍵を渡すと紛失に伴う盗難の危険や、鍵管理の煩雑さから、利用者に暗証番号を入力させる方法や、指紋認識センサーなどの生体認証センサーで収集した人体認証データを利用してる収納ボックスの施錠・解錠を行う装置が、下記特許文献１に開示されているように、貴重品保管装置などに応用されている。
【０００５】
しかし、従来の貴重品保管装置においては、利用者が暗証番号を入力しなければならないので、操作手順が多く、また、暗証番号を失念しないように生年月日や電話番号を設定している利用者が後を絶たないため、第三者に暗証番号を把握される場合があり、盗難の一因となっている。
【０００６】
また、最初に暗証番号を入力するときに、キー操作を誤って、利用者が思い込んでいる暗証番号とは異なる暗証番号を入力してしまうと、貴重品を取り出すときに、利用者が思い込んでいる暗証番号を入力しても解錠できなくなることがあった。
【０００７】
このように、客が貴重品保管装置の誤操作に基づくトラブルや、第三者が巧妙な手段により貴重品保管装置の暗証番号を把握して貴重品を盗み取る例が後を絶たず、場合によっては、ゴルフ場の従業員が盗みに加わるような悪質な事例もあり、貴重品の管理に関する安全性や管理責任の所在について社会問題化しているのが現状である。
【０００８】
そこで、暗証番号を使用しないで、ＲＦＩＤタグを内蔵するＩＣカードをスコアカードホルダーなどに組み込み、このＲＦＩＤタグに格納されているＩＤデータと、生体認証センサーで収集した生体認証データとに基づいて、収納ボックスの扉の電磁錠を施錠・解錠を行う装置が下記特許文献２に開示されている。
【先行技術文献】
【特許文献】
【０００９】
【特許文献１】特開２００５−１８５６２８号公報
【特許文献２】特許第４３９３４３８号公報
【発明の概要】
【発明が解決しようとする課題】
【００１０】
このように、ＲＦＩＤタグに格納されているＩＤデータと、生体認証センサーを用いて収集した生体認証データとに基づいて収納ボックスの電磁錠を施錠・解錠を行う装置においては、ＲＦＩＤタグを備えたスコアカードホルダーなどのカード類を誤って収納ボックスの中に入れて施錠することがあり、その場合は解錠することはできない。
【００１１】
また、水泳プールにおいては、水泳中に何も所持しないことが望まれる。そのために、チェックインしたときに受け取り、精算時に返却するＲＦＩＤタグを備えた入場カード類は、貴重品保管庫の収納ボックスの中に入れざるを得ない。
【００１２】
そこで、生体認証データのみに基づいて収納ボックスの電磁錠を施錠・解錠を行う装置も提案されている。このような人体特徴データのみに基づいて電磁錠の施錠・解錠を行うと、ゴルフ場や水泳プールなどの施設に無関係な者に貴重品保管庫を利用されたり、貴重品保管庫に何も入れないで施錠されることがある。
【００１３】
そこで、この発明は、このようなＲＦＩＤタグのＩＤデータと、生体認証データとに基づいて貴重品保管庫の電磁錠を施錠・解錠を行う装置における問題点を解決するために考えられたものである。
【課題を解決するための手段】
【００１４】
この発明の集合型貴重品保管装置は、扉の施錠・解錠を電磁錠で行う複数の収納ボックスを有する集合型貴重品保管装置において、利用者に空いている収納ボックスと操作方法を表示し、利用者が選択した収納ボックス番号を入力する操作・表示部と、カード類に保持されたＲＦＩＤタグと通信を行って、当該ＲＦＩＤタグのＩＤデータを読み取るリーダライタと、人体の特徴を収集する生体認証センサーと、上記リーダライタによって読み取られたＩＤデータ、上記利用者が選択した収納ボックス番号および上記生体認証センサーによって収集された生体認証データを処理・記憶するコンピュータとを備え、上記収納ボックスに貴重品を格納する際には、上記ＲＦＩＤタグのＩＤデータおよび上記生体認証データに基づいて、上記利用者が選択した収納ボックスの扉の施錠を可能ならしめ、上記利用者が選択した収納ボックスから貴重品を取り出す際には、上記生体認証データに基づいて上記収納ボックスの扉の解錠を可能ならしめるように構成したものである。
【発明の効果】
【００１５】
この発明の集合型貴重品保管装置によると、客がＲＦＩＤタグを有するカード類などをリーダライタに接近させることと、指を指紋リーダーや手を掌紋リーダーに当てるだけで操作が完了するので、操作が簡単である。
【００１６】
暗証番号を使用しないので、暗証番号に基づく問題を生ずることがなく、安全性が高い。ＲＦＩＤタグのＩＤデータはその都度、書き換えるように構成しておくと、安全で繰り返し利用が可能であり、簡便で経済的である。
【００１７】
ＲＦＩＤタグを有するカード類は、収納ボックスに貴重品を入れて施錠するときに使用し、収納ボックスを解錠して貴重品を取り出すときには、生体認証データのみに基づいて解錠できるので、客はカード類を持ち歩く必要はなく、水泳プールにおいて便利である。
【００１８】
ゴルフ場のように、スコアカードをプレー中に必要であるにも関らず、収納ボックスに貴重品とともに、誤ってスコアカードを入れて施錠しても、生体認証データにより解錠してスコアカードを取り出すことが可能である。
【００１９】
収納ボックスの施錠時に、ＲＦＩＤタグを備えたカード類を必要としているので、ゴルフ場や水泳プールなどの施設に無関係な者の利用を防止でき、また、収納ボックスに何も入れないで施錠されることを防止できる。さらに、収納ボックスに不審物を入れることや、特に、テロによる爆発物の仕掛けを未然に防止することができる。  
【発明を実施するための最良の形態】
【００２０】
この発明の集合型貴重品保管装置は、図１の斜視図に示すように、筐体本体１と、この筐体本体１の正面に配列された複数の扉21付き収納ボックス２と、操作・表示部３と、指紋リーダーなどの生体認証センサー５と、コンピュータ６よりなる制御装置（図６参照）と、スコアカードホルダー７と、ＲＦＩＤタグ８（図６、図７参照）とにより構成されている。
【００２１】
図２に拡大して示すように、筐体本体１の正面のほぼ中央に設けた操作・表示部３には、タッチパネル31およびリーダライタ４が設けられ、さらに生体認証センサー５が設けられており、筐体本体１の下部にはコンピュター６よりなる制御装置および電源装置など（図示せず）が収納されている。
【００２２】
収納ボックス２は、財布や鍵などの貴重品を収めるために、その開口部は片手が入るくらいの大きさであるが、通常の収容ボックス２の２つ分のスペースを占めるような、適宜に大きさを変更した収納ボックス２も使用されている。各開口部には扉21を備えており、扉21を施錠・解錠する電磁錠（図示していない）が設けられている。各扉21の表面には使用中か未使用かを表示するＬＥＤなどの表示器22が設けられている。なお、各扉21に表示器22を設けることなく、タッチパネル31のみに使用中か未使用かを表示してもよいのである。
【００２３】
操作キーとして、指紋、掌紋、虹彩模様認識センサー等の生体認証センサー５で収集した生体認証データと、ＩＣチップ81を組み込んだＲＦＩＤを利用したＲＦＩＤタグ８に格納されているＩＤデータとを用いる。このＲＦＩＤタグ８（図７参照）は、スコアカードホルダー７に一体化して取り付けられている。
【００２４】
操作・表示部３は、収納ボックス２の縦方向２つ分または３つ分のスペースを用いて、利用者が操作し易く、周囲から覗かれないようにように筐体本体１の中央部で奥まった状態に配置し、５.７インチ程度の大きさのタッチパネル31を利用し、利用者に操作方法を表示するとともに、利用者に収納ボックス２の選択および指定を行わせる。
【００２５】
操作・表示部３の上方にはリーダライタ４が設けられ、操作・表示部３の中央にはタッチパネル31が設けられ、下部には人体の生体認証データを収集する生体認証センサー５が設けられている。また、人の接近を感知する人体センサー、音声案内用スピーカーなどが適宜配置してもよいのである。生体認証データを収集する手段として、指紋のほかに掌紋、掌の血管模様、顔の輪郭、目の虹彩の模様などを利用することができる。
【００２６】
指紋リーダー５は、個人に特有な指紋のパターンを収集し、収集した指紋のパターンを個人データとしてコンピュータ６で処理してメモリーに格納し、再度指紋リーダー５に触れた人の指紋データとの照合を行って一致・不一致を判断し、同一人物であるか否かを確認するものである。
【００２７】
もう一つの操作キーとしてＲＦＩＤを用いる。図６および図７の概略図に示すように、ＲＦＩＤ（Radio Frequency Identificationの略）は、ＩＣチップ81およびアンテナ82を有し、リーダライタ４と無線によって交信することにより非接触で、ＩＣチップ81のメモリに格納されているデータを読み書きするもので、遮蔽物を透過して読み書きが可能であり、セキュリティに優れている。
【００２８】
合成樹脂を成型したＲＦＩＤタグ８の内部は、フィルム基板に形成されたコイル状のアンテナ82と、このアンテナ82に接続されたＩＣチップ81とにより構成される。ＩＣチップ81には、記憶部、電源整流部、送信部、受信部を具備している。そして、この合成樹脂を成型したＲＦＩＤタグ８をスコアカードホルダー７に挟み込んで使用するか、スコアカードホルダー７と一体化してもよいのである。
【００２９】
ＲＦＩＤは、物や人の個体ＩＤデータを管理するＲＦＩＤタグ８と、そのＩＤデータを認識・制御するリーダライタ４と、情報処理を行うコンピュータ６とにより構成される。電池を内蔵しないＲＦＩＤタグ８は、リーダライタ４のアンテナ41から放射される電波を受信して整流し、動作電源とすることにより、ＩＣチップ81にデータを登録、またデータを返送する。
【００３０】
リーダライタ４は、操作・表示部３内の上部に斜めに取り付けられており、ＲＦＩＤタグ８と交信するアンテナ41とコントローラー42とにより構成され、コントローラー42はコンピュータ６に接続されている。
【００３１】
次に、このように構成された集合型貴重品保管装置の利用手順を説明する。
【００３２】
来場した客が、フロントにおいてチェックインをすると、客にＲＦＩＤタグ８を備えたスコアカードホルダー７を貸与する。このスコアカードホルダー７には、ロッカーキーが付けられていることもあり、客一人毎に一枚割り当てられる。
【００３３】
（貴重品の預け入れ）
貴重品を預けたい利用者が集合型貴重品保管装置に接近すると、人体センサーが感知して、音声案内動作を開始する。
【００３４】
(１)音声案内にしたがって、利用者が、収納ボックス２に貴重品を預けるか、収納ボックス２から貴重品を取り出すかを選択する画面を表示して選択を促す。
【００３５】
(２)収納ボックス２に貴重品を預け入れの方を選択された場合には、音声案内にしたがって、ＲＦＩＤタグ８を備えたスコアカードホルダー７をリーダライタ４のアンテナ41に接近させると、ＲＦＩＤタグ８がリーダライタ４からの電波を受信して起電力が発生するので、ＩＣチップ81が起動してメモリに既に格納されているＩＤデータを送信する。
【００３６】
(３)リーダライタ４側で受信したＲＦＩＤタグ８のＩＤデータが、コンピュータ６に伝送されると、貴重品を預ける利用者が来たものと判断して、タッチパネル31に収納ボックス２の空き状態を表示する。
【００３７】
(４)利用者が、タッチパネル31に触れることにより、空いている収納ボックス２の選択を促す。
【００３８】
(５)利用者が収納ボックス２の１つを選択すると、指紋リーダー５に指先を押し付けるように促す。指紋リーダー５に利用者が指先を押し付けることにより指紋データの収集が完了すると、この指紋データと、ＩＣチップ81のＩＤデータと、選択された収納ボックス２の番号とを関連付けて、コンピュータ６のメモリーに格納する。
【００３９】
(６)そして、利用者が選択した収納ボックス２の電磁錠を解錠して、その収納ボックス２の表示器22を点滅させる。
【００４０】
(７)利用者が解錠された収納ボックス２に貴重品を入れて扉21を閉めると電磁錠が施錠される。このように、収納ボックス２の扉21が開かれたのち、扉21が閉められると施錠して利用状態になり、この収納ボックス２が利用状態になったことをコンピュータ６に伝送して記憶させるとともに、当該収納ボックス２の表示器22を連続点灯させる。
【００４１】
このように収納ボックス２に貴重品を入れて施錠するとき、ＲＦＩＤタグ８を備えたスコアカードホルダー７を貴重品とともに収納ボックス２に入れてもかまわない。
【００４２】
（貴重品の取り出し）
(８)貴重品を取り出したい利用者が集合型貴重品保管装置に接近すると、人体センサーが感知して、音声案内動作を開始する。上記(１)と同様に、音声案内にしたがって、利用者が、収納ボックス２に貴重品を預けるか、収納ボックス２から貴重品を取り出すかを選択する画面を表示して選択を促す。
【００４３】
(９)利用者が、収納ボックス２から貴重品を取り出す方を選択した場合には、さらに、音声案内動作を開始して、指紋リーダー５に指先を押し付けるように促す。指紋リーダー５に利用者が指先を押し付けることにより指紋データの収集が完了すると、この指紋データをコンピュータ６のメモリーに既に格納されている全ての指紋データと照合して一致する指紋データを検索する。
【００４４】
(１０)この照合の結果、メモリーに既に格納されている指紋データの中から、２度目に収集した指紋データと一致した指紋データを見付けると、先に当該利用者が選択した番号の収納ボックス２の表示器22を点滅させるとともに電磁錠を解錠する
【００４５】
(１１)利用者が、表示器22が点滅している収納ボックス２の扉を開いて、貴重品を取り出したのち扉を閉じると、一連の操作は終了する。そして、その収納ボックス２の表示器22を消灯させる。
【００４６】
利用者が、ＲＦＩＤタグ８を備えたスコアカードホルダー７を返却して、チェックアウトするまで、空いた任意の収納ボックス２を繰り返し利用することができる。
【００４７】
以上で説明した実施形態においては、ＩＣチップ81のＩＤデータを書換えることなく継続して使用しているが、１日の利用毎に任意のデータに書換えて使用するように構成しておくと、セキュリティを向上させることができる。
【００４８】
（その他の実施の形態）
以上で説明した実施形態においては、単一の生体認証センサーにより１つの生体認証データを収集して利用しているが、単一の生体認証センサーにより、人体の複数部位（例えば、左右の掌紋、異なる指の指紋など）の複数の生体認証データを収集して、収納ボックス２の解錠時に、何れか１つの生体認証データが既に格納されているデータと照合できなくても、他方の生体認証データが照合できれば解錠するように構成して使用することができる。あるいは、２つの生体認証データがともに照合できない場合には、解錠しないように構成しておくとセキュリティを向上させることができる。
【００４９】
また、異種の生体認証センサー、例えば、指紋リーダーと顔の輪郭を撮影するカメラとを設けておき、利用者が指紋リーダーに指先を押し付けて指紋データを収集するとき、指紋リーダーを視認するので、そのときにカメラで顔の輪郭を撮影して、顔の輪郭データを収集する。そして、何れか一方のデータが照合できたときに解錠するか、あるいは、両データが照合できなければ解錠しないように構成して使用することができる。
【図面の簡単な説明】
【００５０】
【図１】この発明の集合型貴重品保管装置の外観を示す斜視図、
【図２】図１に示す装置の操作部のリーダライタにスコアカードホルダーを接近させた状態を示す斜視図、
【図３】図１に示す装置の指紋リーダーを示す斜視図、
【図４】図１に示す装置の操作部のタッチパネルを示す正面図、
【図５】図１に示す装置の操作部の縦断面図、
【図６】図１に示す装置において用いるリーダライタのブロック図、
【図７】図１に示す装置において用いるＲＦＩＤタグを示す概要図である。
【符号の説明】
【００５１】
１  筐体本体
２  収納ボックス
21  扉
22  ランプ
３  操作・表示部
31  タッチパネル
４  リーダライタ
41  リーダライタのアンテナ
42  コントローラー
５  指紋リーダー（生体認証センサー）
６  コンピュータン
７  スコアカードホルダー
８  ＲＦＩＤタグ
81  ＩＣチップ
82  アンテナ
【図１】
2013189821.tif 000003
【図２】
2013189821.tif 000004
【図３】
2013189821.tif 000005
【図４】
2013189821.tif 000006
【図５】
2013189821.tif 000007
【図６】
2013189821.tif 000008
【図７】
2013189821.tif 000009